(57)【要約】【課題】浴槽に面する壁に蓋体を立て掛けた場合に該蓋体が浴槽内に居る入浴者にとって邪魔にならず、且つ突出物を設けた浴槽に面する壁にも支障なく蓋体を立て掛けることができる風呂蓋を提供する。【解決手段】一方蓋体２ａの上部両側端部から他方蓋体２ｂ側に向けて上側脚部５ａを突設する。他方蓋体２ｂの下部両側端部から一方蓋体２ａ側に向けて下側脚部５ｂを突設する。一方蓋体２ａの下面両側端部に下側凹段部６ａを形成する。他方蓋体２ｂの上面両側端部に上側凹段部６ｂを形成する。一方蓋体２ａの端面と他方蓋体２ｂの端面を突き合わせ、一方蓋体２ａの両上側脚部５ａを他方蓋体２ｂの両上側凹段部６ｂに重ね合わせ、他方蓋体２ｂの両下側脚部５ｂを一方蓋体２ａの両下側凹段部６ａに重ね合わせた状態で、浴槽３上に一方蓋体２ａ及び他方蓋体２ｂを載置可能とする。【選択図】図１
2009153610.tif 000002
【特許請求の範囲】
【請求項１】
浴槽上に並べて載置される複数枚の蓋体により構成される風呂蓋において、隣接する蓋体の一方を一方蓋体とすると共に他方を他方蓋体とし、一方蓋体の上部両側端部から他方蓋体側に向けて上側脚部を突設すると共に他方蓋体の下部両側端部から一方蓋体側に向けて下側脚部を突設し、一方蓋体の下面両側端部に他方蓋体側に開口する下側凹段部を形成し、他方蓋体の上面両側端部に一方蓋体側に開口する上側凹段部を形成し、一方蓋体の両上側脚部間に位置する他方蓋体側の端面と他方蓋体の両下側脚部間に位置する一方蓋体側の端面を突き合わせ、且つ、一方蓋体の両上側脚部を他方蓋体の両上側凹段部に重ね合わせると共に他方蓋体の両下側脚部を一方蓋体の両下側凹段部に重ね合わせた状態で、浴槽上に一方蓋体及び他方蓋体を載置可能としたことを特徴とする風呂蓋。
【発明の詳細な説明】
【技術分野】
【０００１】
本発明は浴槽上に並べて載置される複数枚の蓋体からなる風呂蓋に関する。
【背景技術】
【０００２】
浴槽の上開口を閉塞する風呂蓋には一枚の蓋体で構成されるものと例えば特許文献１に示すように複数枚の蓋体で構成されるものがあり、後者の方は蓋体が軽量であるため、取り扱いが容易であり、また、重ね合わせてコンパクトにできるという利点がある。
【０００３】
ところで、風呂蓋を使用しない時にはカビ等の発生を抑えるために上記蓋体を浴室の壁に立て掛けることが行われる。蓋体を壁に立て掛ける例としては、特許文献１に示すように蓋体を洗い場に面する壁に立て掛ける場合や、浴槽に面する壁に立て掛ける場合がある。
【０００４】
しかし、蓋体を洗い場に面する壁に立て掛ける場合には、浴槽上の蓋体を洗い場側に移動することが面倒であり、また、洗い場の利用できるスペースが狭くなる。
【０００５】
また、浴槽に面する壁に立て掛けた場合には、浴槽内に居る入浴者の頭等が壁に立て掛けた蓋体に当たる等、蓋体が邪魔になるという問題がある。また、浴槽に面する壁（例えば入浴者の足側に位置する壁）には浴室用テレビや給湯器のリモコン等を突設していることがあり、これらが邪魔になって蓋体を壁に立て掛けることができない場合もあり、さらに立て掛けることができたとしても、蓋体によって浴室用テレビやリモコン等が隠され、これらを利用できないという問題がある。
【特許文献１】特開２００６−２６３３８９号公報
【発明の開示】
【発明が解決しようとする課題】
【０００６】
本発明は上記従来の問題点に鑑みてなされたものであって、浴槽に面する壁に蓋体を立て掛けた場合に該蓋体が浴槽内に居る入浴者にとって邪魔にならず、且つ浴室用テレビや給湯器のリモコン等を突設した浴槽に面する壁にも支障なく蓋体を立て掛けることができる風呂蓋を提供することを課題とする。
【課題を解決するための手段】
【０００７】
上記課題を解決するために本発明の請求項１に係る風呂蓋は、浴槽３上に並べて載置される複数枚の蓋体２ａ、２ｂにより構成される風呂蓋１において、隣接する蓋体２ａ、２ｂの一方を一方蓋体２ａとすると共に他方を他方蓋体２ｂとし、一方蓋体２ａの上部両側端部から他方蓋体２ｂ側に向けて上側脚部５ａを突設すると共に他方蓋体２ｂの下部両側端部から一方蓋体２ａ側に向けて下側脚部５ｂを突設し、一方蓋体２ａの下面両側端部に他方蓋体２ｂ側に開口する下側凹段部６ａを形成し、他方蓋体２ｂの上面両側端部に一方蓋体２ａ側に開口する上側凹段部６ｂを形成し、一方蓋体２ａの両上側脚部５ａ間に位置する他方蓋体２ｂ側の端面と他方蓋体２ｂの両下側脚部５ｂ間に位置する一方蓋体２ａ側の端面を突き合わせ、且つ、一方蓋体２ａの両上側脚部５ａを他方蓋体２ｂの両上側凹段部６ｂに重ね合わせると共に他方蓋体２ｂの両下側脚部５ｂを一方蓋体２ａの両下側凹段部６ａに重ね合わせた状態で、浴槽３上に一方蓋体２ａ及び他方蓋体２ｂを載置可能としたことを特徴とする。
【発明の効果】
【０００８】
本発明では、一方蓋体の両上側脚部間に位置する他方蓋体側の端面と他方蓋体の両下側脚部間に位置する一方蓋体側の端面を突き合わせ、且つ、一方蓋体の両上側脚部を他方蓋体の両上側凹段部に重ね合わせると共に他方蓋体の両下側脚部を一方蓋体の両下側凹段部に重ね合わせた状態で、浴槽上に一方蓋体及び他方蓋体を載置することで、浴槽を閉塞できる。また、この場合、一方蓋体の両上側脚部間に他方蓋体の上部を嵌め込み、且つ、他方蓋体の両下側脚部間に一方蓋体の下部を嵌め込んだ状態とすることができ、一方蓋体及び他方蓋体を位置ずれを防止した状態で浴槽上に載置できる。
【０００９】
また、一方蓋体及び他方蓋体は共に両脚部を下にして浴槽に面する壁に立て掛けた場合に各蓋体の両脚部間に空所を形成することができる。従って、前記空所に浴槽に居る入浴者の頭部や壁から突出する浴室用テレビや給湯器のリモコン等の突出物を配置することが可能となり、蓋体が入浴者にとって邪魔にならないようにでき、また、前記突出物を設けた壁に支障なく蓋体を立て掛けることが可能となる。また、浴室用テレビやリモコン等を設けた壁に蓋体を立て掛ける場合には、該蓋体の脚部間に浴室用テレビやリモコン等を露出させることができ、これら浴室用テレビやリモコン等を利用可能な状態で蓋体を壁に立て掛けることができる。
【発明を実施するための最良の形態】
【００１０】
以下、本発明を添付図面に示す実施形態に基づいて説明する。図１乃至図３に示す本実施形態の一例の風呂蓋１は２枚の蓋体２ａ、２ｂにより構成してある。２枚の蓋体２ａ、２ｂは浴槽３上に浴槽３の長手方向に並べて載置されるものであり、この浴槽載置状態では図１のように蓋体２ａ、２ｂの一部が重複して平面視長方形状の風呂蓋１を形成する。
【００１１】
なお、以下では特別に記載する場合を除き上記浴槽載置状態における方向を用いて風呂蓋１の説明を行い、つまり、風呂蓋１の厚み方向を上下方向とし、且つこの上下方向における風呂蓋１の浴槽３側である一方を下方、反対側を上方として説明する。また、以下では、説明を簡単にするために隣接する２枚の蓋体２ａ、２ｂのうち、一方の蓋体２ａを一方蓋体２ａと記載し、他方の蓋体２ｂを他方蓋体２ｂと記載する場合がある。
【００１２】
一方蓋体２ａ及び他方蓋体２ｂは共に略矩形板状の板部４ａ、４ｂで主部を構成している。一方蓋体２ａの板部４ａの両側端部の上部からは他方蓋体２ｂ側に向けて長尺板状の上側脚部５ａを一体に突設している。また、他方蓋体２ｂの板部４ｂの両側端部の下部からは一方蓋体２ａ側に向けて下側脚部５ｂを一体に突設している。両上側脚部５ａの他方蓋体２ｂ側への突出長さと両下側脚部５ｂの一方蓋体２ａ側への突出長さは同じ寸法であり、両蓋体２ａ、２ｂは共に平面視で略門形に形成してある。また、板部４ａの上面と両上側脚部５ａの上面は面一としてあり、また、板部４ｂの下面と両下側脚部５ｂの下面は面一としてある。
【００１３】
一方蓋体２ａの板部４ａの下面両側端部には他方蓋体２ｂ側、外側方、下方の３方に開口した下側凹段部６ａを形成している。板部４ａの下面よりも一段上方に位置する各下側凹段部６ａの上底面は対応する上側脚部５ａの下面と面一となって連続している。また、各下側凹段部６ａは対応する下側脚部５ｂと合致する形状を有している。
【００１４】
他方蓋体２ｂの板部４ｂの上面両側端部には一方蓋体２ａ側、外側方、下方の３方に開口した上側凹段部６ｂを形成している。板部４ｂの上面よりも一段下方に位置する各上側凹段部６ｂの下底面は対応する下側脚部５ｂの上面と面一となって連続している。また、各上側凹段部６ｂは対応する上側脚部５ａと合致する形状を有している。
【００１５】
上記２枚の蓋体２ａ、２ｂからなる風呂蓋１にて浴槽３を閉塞する場合、図１のように両蓋体２ａ、２ｂを組み合わせた状態で浴槽３上に載置する。即ち、風呂蓋１の浴槽載置状態にあっては、一方蓋体２ａの両上側脚部５ａ間に位置する他方蓋体２ｂ側の端面（即ち板部４ａの端面）と他方蓋体２ｂの両下側脚部５ｂ間に位置する一方蓋体２ａ側の端面（即ち板部４ｂの端面）を突き合わせ、且つ、一方蓋体２ａの両上側脚部５ａを他方蓋体２ｂの両上側凹段部６ｂに重ね合わせると共に他方蓋体２ｂの両下側脚部５ｂを一方蓋体２ａの両下側凹段部６ａに重ね合わせ、これにより一方蓋体２ａの両上側脚部５ａ間に他方蓋体２ｂの板部４ｂの上部を嵌め込み、且つ、他方蓋体２ｂの両下側脚部５ｂ間に一方蓋体２ａの板部４ａの下部を嵌め込んだ状態とする。従って、一方蓋体２ａ及び他方蓋体２ｂを位置ずれを防止した状態で浴槽３上に載置できる。また、このように各蓋体２ａ、２ｂを浴槽３上に載置した状態では、一方蓋体２ａの板部４ａの下面及び他方蓋体２ｂの板部４ｂの下面及び両下側脚部５ｂの下面が浴槽３の上端部から外方に突出するフランジ３ａの上面に隙間なく載置される。また、各上側脚部５ａの下面は対応する上側凹段部６ｂの下底面に当接し、各下側凹段部６ａの上底面は対応する下側脚部５ｂの上面に当接する。また、各上側脚部５ａの内側側面や先端面が対応する上側凹段部６ｂの側面や奥面の夫々に当接又は近傍に位置し、且つ各下側脚部５ｂの内側面や先端面が対応する下側凹段部６ａの側面や奥面の夫々に当接又は近傍に位置し、これにより一方蓋体２ａと他方蓋体２ｂとが略隙間無く接合される。従って、この浴槽載置状態においては２枚の蓋体２ａ、２ｂからなる風呂蓋１によって浴槽３を気密状態で閉塞することができる。
【００１６】
また、上記風呂蓋１を構成する各蓋体２ａ、２ｂは図３に示すように両脚部５ａ（又は５ｂ）の下端となる先端を浴槽３の上面に載置して浴室の浴槽３に面する壁９に立て掛けることができる。そして、このように壁９に立て掛けた各蓋体２ａ、２ｂの両脚部５ａ（又は５ｂ）間には空所７が形成される。従って、例えば浴槽３に居る入浴者の頭側に位置する壁９に上記蓋体２ａ、２ｂを立て掛けた場合には、該蓋体２ａ、２ｂの両脚部５ａ（又は５ｂ）間に形成される空所７に入浴者の頭部を配置することが可能になる等、蓋体２ａ、２ｂが入浴者にとって邪魔にならない。また、図３に示すように浴室用テレビや給湯器のリモコン等の突出物８を設けた浴槽３に居る入浴者の脚側に位置する壁９等に蓋体２ａ、２ｂを立て掛けた場合には、両脚部５ａ（又は５ｂ）間に形成される空所７に前記突出物８を配置できるので、突出物８を設けた壁９にも蓋体２ａ、２ｂを支障なく立て掛けることができる。また、このように浴室用テレビやリモコン等を設けた壁に蓋体２ａ、２ｂを立て掛ける場合には、蓋体２ａ、２ｂの脚部５ａ、５ｂ間に浴室用テレビやリモコン等を露出させ操作や鑑賞が可能な状態となり、これら浴室用テレビやリモコン等を利用可能な状態で蓋体２ａ、２ｂを壁９に立て掛けることができる。また、図３に示すように両蓋体２ａ、２ｂを重ね合わせて壁９に立て掛けた状態では両蓋体２ａ、２ｂの両脚部５ａ（又は５ｂ）間に形成された空所７を重複させることができるので、蓋体２ａ、２ｂを重ね合わせて立て掛けた場合にも上記と同様の効果が得られる。
【００１７】
なお、本実施形態の一例では風呂蓋１を２枚の蓋体２ａ、２ｂにより構成したが、３枚以上の蓋体により構成し、各蓋体とこれに隣接する蓋体の接続部分を上記一例の一方蓋体１ａと他方蓋体１ｂの接合部分と同様の構成としても良い。
【図面の簡単な説明】
【００１８】
【図１】本発明の実施形態の一例の風呂蓋の斜視図である。
【図２】同上の風呂蓋の分解斜視図である。
【図３】同上の風呂蓋を構成する各蓋体を浴室の壁に立て掛けた状態を示す斜視図である。
【符号の説明】
【００１９】
１  風呂蓋
２ａ  一方蓋体
２ｂ  他方蓋体
３  浴槽
５ａ  上側脚部
５ｂ  下側脚部
６ａ  下側凹段部
６ｂ  上側凹段部
【図１】
2009153610.tif 000003
【図２】
2009153610.tif 000004
【図３】
2009153610.tif 000005